(57)【要約】【課題】装置のシリアル番号の登録忘れを防止し得る通信端末装置を提供する。【解決手段】ユーザ装置の設置時に、コピー要求があると（ステップＳＴ１）、次にシリアル番号が登録済みか否か判定し（ステップＳＴ２）、シリアル番号が登録済みの場合は、続いてリモート診断パスワードが登録されているか否か判定する（ステップＳＴ３）。パスワードも登録されている場合には、コピー処理を実行する（ステップＳＴ４）。シリアル番号が登録されていないか、あるいはパスワードが登録されていない場合は、ナックブザーを動作させる（ステップＳＴ５）。このブザーの動作により、シリアル番号かパスワードの登録忘れかを知ることができる。【選択図】　　　図３
2004135113.tif 000002
【特許請求の範囲】
【請求項１】
装置製造番号を記憶する製造番号登録手段と、遠隔装置からのアクセス用のパスワードを記憶するパスワード登録手段とを備え、前記製造番号とパスワードの前記登録手段への登録を条件に、装置の動作を可能としたことを特徴とする通信端末装置。
【請求項２】
前記製造番号とパスワードのいずれかの登録がされていない状態で、装置の動作を指示したときに、前記登録がなされていな旨の報知を行うようにしたことを特徴とする請求項１記載の通信端末装置。
【請求項３】
前記装置の動作は、コピー処理、通信処理又は原稿の読み取り処理のいずれかを含むものであることを特徴とする請求項１又は請求項２記載の通信端末装置。
【発明の詳細な説明】
【０００１】
【発明の属する技術分野】
この発明は、遠隔のセンタ装置からアクセス可能なファクシミリ装置、複合機等の通信端末装置に関する。
【０００２】
【従来の技術】
一般に、ユーザの通信端末装置に対し、センタ装置からリモート診断でユーザのシリアル番号（装置製造番号）を知る（収集する）ことができる。各ユーザ装置のシリアル番号は、設置時にサービスマンが操作入力している。
【０００３】
ところで、従来ファクシミリ装置では、装置設置時に、例えばダイヤル方式を用いるか、多周波方式を用いるか等の環境データを登録設定している。この種のファクシミリ装置において、環境データの登録忘れを防止するために、装置の電源オン直後にメモリ内に環境データが登録されているか否かを判定し、メモリ内に環境データが未登録の場合に、装置を環境データ設定モードとして、ユーザに環境データの登録を促す報知を行うようにしている（例えば、特許文献１参照）。
【０００４】
【特許文献１】
特開平５−４８８０９号公報
【０００５】
【発明が解決しようとする課題】
センタ装置からユーザのファクシミリ装置に対し、リモート診断でシリアル番号を取得しようとしても、サービスマンによるシリアル番号の登録忘れがあると、取得することができない。従来のファクシミリ装置では、上記特許文献１に示すように、環境データの設定忘れについては報知する手段を有するので、装置設置時にこれを知ることができるが、シリアル番号の登録忘れがあっても報知されないので、設置時のシリアル番号の登録忘れを防止することができない。
【０００６】
この発明は上記問題点に着目してなされたものであって、装置のシリアル番号の登録忘れを防止し得る通信端末装置を提供することを目的としている。
【０００７】
【課題を解決するための手段】
この発明の通信端末装置は、装置製造番号を記憶する製造番号登録手段と、遠隔装置からのアクセス用のパスワードを記憶するパスワード登録手段とを備え、前記製造番号とパスワードの前記登録手段への登録を条件に、装置の動作を可能としている。
【０００８】
この発明の通信端末装置において、製造番号とパスワードのいずれかの登録がされていない状態で、装置の動作を指示したときに、前記登録がなされていな旨の報知を行うようにしても良い。
【０００９】
この発明の通信端末装置において、装置の動作とは、コピー処理、通信処理、原稿の読み取り処理等である。
【００１０】
この発明の通信端末装置において、設置時に装置の動作、例えばコピー処理を指示した場合、シリアル番号もパスワードも登録されていると、その動作、つまりコピー処理を実行する。しかし、シリアル番号、パスワードのいずれかが登録されていないと、コピー処理をしない。そのため、ユーザはシリアル番号の未登録、あるいはパスワードの未登録を知ることができる。
【００１１】
【発明の実施の形態】
以下、実施の形態により、この発明をさらに詳細に説明する。図１は、この発明が実施される遠隔診断システムの機器構成を示すブロック図である。ここでは、センタ装置１１０Ａから公衆回線１２０を介して、各端末であるファクシミリ装置１００Ａ、１００Ｂ、……、１００Ｎをアクセスして、遠隔診断する場合を想定している。センタ装置１１０Ｂは、ファクシミリ装置１００Ａ、１００Ｂ、……、１００Ｎをアクセスできない。
【００１２】
図２は、ファクシミリ装置１００（１００Ａ、１００Ｂ、……、１００Ｎ）の構成を示すブロック図である。このファクシミリ装置１００は、ＮＣＵ１と、モデム２と、画像メモリ３と、ＲＡＭ４と、ＲＯＭ５と、主制御部（ＣＰＵ）６と、表示部７と、操作部８と、読み取り部９と、記録部１０と、ＬＡＮインターフェース１１と、バス１２とを備えている。
【００１３】
ＮＣＵ１は、電話回線１２０との接続を制御するとともに、相手先の電話番号（対応したダイヤル信号）の送出及び着信を検出するための機能を備えている。モデム２は、ＩＴＵ−Ｔ勧告Ｔ．３０に従ったファクシミリ伝送制御手順に基づいて、Ｖ．１７、Ｖ．２７ｔｅｒ、Ｖ．２９等に従った送受信データの変調及び復調を行う。また、モデム２は、ナンバーディスプレイ情報を受信するためにＶ２３の復調機能も備えている。画像メモリ３は、受信画像データや読み取り部９で読み取った原稿画像データを一時的に記憶する。ＲＡＭ４は、パスワードを登録するパスワード登録メモリ４ａ、シリアル番号を登録するシリアル番号登録メモリ４ｂを有する。ここでパスワードとは、センタ装置１１０Ａから、ファクシミリ装置１００Ａ等を遠隔診断のためにアクセスする場合に、パスワードと共にアクセスを要求し、パスワードが一致した場合にアクセスを許可するためのものである。また、シリアル番号は、各装置の製造番号である。ＲＯＭ５は、ファクシミリ装置全体を制御するためのプログラムを記憶する。
【００１４】
主制御部６は、ＣＰＵで構成され、ＲＯＭ５に記憶されたプログラムに従い、ファクシミリ装置を構成する各部を制御する。表示部７は、ファクシミリ装置の動作状態等の各種情報を表示する。操作部８は、テンキー、スタートキー、ワンタッチキー、短縮キー、コピーモード・読み取りモード、ファックスモード等のモードを切り替えるモード切替キー、その他のキーで構成される。読み取り部９は、原稿上の画像データを読み取って、白黒２値のイメージデータを出力する。記録部１０は、電子写真式のプリンタよりなり、受信画像データやコピー動作において読み取り部９で読み取った原稿の画像データを記録紙上に記録する。ＬＡＮインターフェース１１は、ＬＡＮネットワーク１４を介して外部のパソコン等に接続される。また、インターネットを介して、電子メールを送受信し得る。
【００１５】
次に、この実施形態ファクシミリ装置において、センタ装置１１０Ａからリモート診断によるコピー要求があった場合の処理を、図３に示すフロー図を参照して説明する。先ず、ステップＳＴ１においては、コピー要求有りか否か判定する。センタ装置１００Ａからコピー要求が入った場合には、ステップＳＴ２へ移行する。このコピー要求は、ユーザがコピーモードとし、スタートキーを操作した場合でも良い。
【００１６】
ステップＳＴ２においては、シリアル番号登録済みか否か判定する。ＲＡＭ４のシリアル番号登録メモリ４ｂを参照して、シリアル番号が登録されている場合は、ステップＳＴ３へ移行する。一方、シリアル番号が登録されていない場合は、ステップＳＴ５へ移行する。
【００１７】
ステップＳＴ３においては、リモート診断パスワードが登録されているか否か判定する。ＲＡＭ４のパスワード登録メモリ４ａを参照して、パスワードが登録されている場合は、ステップＳＴ５へ移行する。一方、パスワードが登録されていない場合は、ステップＳＴ５へ移行する。
【００１８】
ステップＳＴ４においては、ステップＳＴ２でシリアル番号の登録、ステップＳＴ３でパスワードの登録を確認しているので、コピー処理を実行する。ステップＳＴ５においては、ステップＳＴ２でシリアル番号が登録されていないか、あるいはステップＳＴ３でパスワードが登録されていないかを確認しているので、ナックブザーを動作させる。ブザーは図示していないが、表示部７と操作部８の近傍に設けている。このナックブザーの鳴動による報知により、ユーザはシリアル番号がパスワードの未登録を知ることができる。
【００１９】
なお、上記実施形態では、シリアル番号の登録とパスワードの登録を確認するために、コピー処理を行うようにしているが、これに代えて、通信処理、原稿読み取り処理、その他の処理を実行させるようにしても良い。
【００２０】
【発明の効果】
この発明によれば、装置製造番号を記憶する製造番号登録手段と、遠隔装置からのアクセス用のパスワードを記憶するパスワード登録手段とを備え、前記製造番号とパスワードの前記登録手段への登録を条件に、装置の動作を可能としているので、装置の動作が生じないことにより、装置製造番号又はパスワードの未登録を知ることができ、登録忘れの発生を防止できる。
【図面の簡単な説明】
【図１】この発明が実施される遠隔診断システムの機器構成を示すブロック図である。
【図２】同遠隔診断システムのファクシミリ装置の構成を示すブロック図である。
【図３】同ファクシミリ装置のコピー処理動作を説明するフロー図である。
【符号の説明】
１　　　　　　　　　　　　　　　　　ＮＣＵ
２　　　　　　　　　　　　　　　　　モデム
３　　　　　　　　　　　　　　　　　画像メモリ
４　　　　　　　　　　　　　　　　　ＲＡＭ
４ａ　　　　　　　　　　　　　　　　パスワード登録メモリ
４ｂ　　　　　　　　　　　　　　　　シリアルＮｏ登録メモリ
５　　　　　　　　　　　　　　　　　ＲＯＭ
６　　　　　　　　　　　　　　　　　主制御部
７　　　　　　　　　　　　　　　　　表示部
８　　　　　　　　　　　　　　　　　操作部
９　　　　　　　　　　　　　　　　　読み取り部
１０　　　　　　　　　　　　　　　　記録部
１１　　　　　　　　　　　　　　　　ＬＡＮＩ／Ｆ
１２　　　　　　　　　　　　　　　　バス
１００Ａ、１００Ｂ、……、１００Ｎ　ファクシミリ装置
１１０Ａ、１１０Ｂ　　　　　　　　　センタ装置
１２０　　　　　　　　　　　　　　　公衆電話回線
【図１】
2004135113.tif 000003
【図２】
2004135113.tif 000004
【図３】
2004135113.tif 000005